(57)【要約】【課題】 洗浄機能を有する材質からなり、かつ簡易な構成でありながら、洗浄する容器の内部は勿論のこと外部表面も効率よく洗浄できる洗浄体と洗浄具を提供する。【解決手段】  長方形の洗浄布９を所定距離毎に折り重ねて断面視略ジグザグ状に構成すると共に、この折り重ねられた洗浄布９の中央部付近を糸１１で縛って両端部が扇形状に開いた平面視略円形状の洗浄体１０を作成し、この洗浄体１０を一定の長さの連結糸１２で複数個連結してなる洗浄具。【選択図】図４
0003118064.tif 000002
【実用新案登録請求の範囲】
【請求項１】
洗浄機能を有する材質からなり、洗浄する容器の内部に挿入可能な大きさで、容器内部の液体と共に容器内を移動して容器の表面を洗浄する洗浄体。
【請求項２】
上記洗浄体を、所定形状の洗浄布を所定距離毎に折り重ねて断面視略ジグザグ状に構成すると共に、中央部付近を固定して平面視略円形状に構成した請求項１記載の洗浄体。
【請求項３】
上記洗浄体を、所定形状の洗浄布を所定距離毎に折り重ねて断面視略ジグザグ状に構成すると共に、中央部付近を固定して略球状に構成した請求項１記載の洗浄体。
【請求項４】
請求項１から請求項３にいずれか１項記載の洗浄体を連結体によって複数個連結してなる洗浄具。
【請求項５】
請求項１から請求項３に記載のいずれかに記載の洗浄体を一部に含み連結体によって複数個連結してなる洗浄具。
【考案の詳細な説明】
【技術分野】
【０００１】
本考案は、ビン等の各種容器類の内部表面を効率よく洗浄できる洗浄体とそれを使用した洗浄具に関するものである。
【背景技術】
【０００２】
従来ではビン等の内部に手の入らない容器を洗浄するために、柄の先端にスポンジを取り付けた長尺のブラシを用い、ブラシを容器内の差し込んで内部表面を擦って洗浄していた。しかしこれでは円筒形状あるいは複雑な形状をしているビンの内部を確実に洗浄するのは困難であった。
あるいは、卵の殻を小さく割ってビンの内部表面を擦る方法もあったが、この方法ではプラスチックのビンの場合には表面に傷がつくという欠点があった。
【０００３】
そのため、ビンの内部を効率よく洗浄する道具として特許文献１に記載の洗濯ボールが提案されていた。この洗濯ボールによれば、小さな研磨材の小片の中に錘を内蔵して、洗濯ボールの慣性を利用し容器を振ることにより容器内に当てて接触させ汚れを落とすため、内部形状が複雑な容器でも洗浄できるという効果があった。
【特許文献１】登録実用新案第３００７９４３号
【考案の開示】
【考案が解決しようとする課題】
【０００４】
上記の洗濯ボールは、小さな研磨材の中に錘を内蔵させるために製作に手間がかかる上に、使用中にも容器の表面に錘の衝撃が加わるため、容器を傷つけるおそれがあった。これは容器の肉厚が薄いビンでは特に問題があった。
【課題を解決するための手段】
【０００５】
本考案の要旨とするところは、洗浄機能を有する材質からなり、洗浄する容器の内部に挿入可能な大きさで、容器内部の液体と共に容器内を移動して容器の表面を洗浄する洗浄体である。
【０００６】
また本考案の要旨とするところは、上記洗浄体を、所定形状の洗浄布を所定距離毎に折り重ねて断面視略ジグザグ状に構成すると共に、中央部付近を固定して平面視略円形状に構成した洗浄体である。
【０００７】
また本考案の要旨とするところは、上記洗浄体を、所定形状の洗浄布を所定距離毎に折り重ねて断面視略ジグザグ状に構成すると共に、中央部付近を固定して略球状に構成した洗浄体である。
【０００８】
また本考案の要旨とするところは、上記記載のいずれかの洗浄体を連結体によって複数個連結してなる洗浄具である。
【０００９】
また本考案の要旨とするところは、上記記載のいずれかの洗浄体を一部に含み連結体によって複数個連結してなる洗浄具である。
【考案の効果】
【００１０】
本考案の洗浄体は上記の如き構成であるため、簡易が構成であり、手の入らない容器の内部表面を、容器を傷つけることなく効率よく洗浄できるのである。
また、洗浄布を折り重ねて断面視略ジグザグ状にして、中央部付近を固定して平面視略円形状あるいは略球状に構成した場合は洗浄効果がさらに大きくなる。
【００１１】
上記洗浄体を複数個連結した洗浄具は、複数の洗浄体が容器の内部で一体となって移動し容器内部を擦って洗浄するため、洗浄効果が大きい上にあらゆる形状の容器に適用でき、洗浄具の取り出しも容易に行なえるのである。
【考案を実施するための最良の形態】
【００１２】
本考案を実施するための最良の形態は、長方形の洗浄布を長手方向に所定距離毎に折り重ねて断面視略ジグザグ状に構成する。この折り重ねられた洗浄布の中央部付近を糸で固定することにより両端部が扇形状に開き、平面視略円形状の洗浄体が構成される。そしてこの洗浄体を一定の長さの連結糸によって複数個連結してなる洗浄具である。
【００１３】
以下、本考案の第１実施形態を図に基づいて説明する。
図１は洗浄体の展開図、図２は洗浄体の概略斜視図、図３は洗浄体の概略端面拡大図、図４は洗浄具の概略斜視図、図５及び図６は洗浄具の使用状態示す説明図である。
【００１４】
本実施形態の洗浄具１は、４個の小さな洗浄体１０を連結糸１２で連結したものである。洗浄体１０を構成する洗浄布９は、幅２．５ｃｍ程度、長さ４０ｃｍ程度の長方形の合成樹脂製のネット状の材質からなる。この洗浄布９は、天然繊維、合成繊維あるいは化学繊維の布あるいは不織布、ネット、スポンジ等の洗浄機能を有するものはすべて使用できるが、材質に張りのあるものが好ましい。
【００１５】
この洗浄布９を長手方向に所定距離毎に折り重ねていき、側方から見てジグザグ状になるように折り重ね、最終的に折り重ねた状態で中央部付近を糸１１で縛り付ける。これによって洗浄体１０は図２に示すように、中央部付近が糸１１で固定されているため両端が扇形状に開き、上から見て円形状を呈するのである。そしてその端面は図３に示すように洗浄布９が連続して折り畳まれて略ジグザグ状になっている。
【００１６】
次に図４に示すように上記の洗浄体１０を４個、連結糸１２で連結して洗浄具１を構成する。この場合、連結糸１２の長さ、洗浄体１０の個数や大きさ等は、洗浄するビンの大きさ形状等によって適宜変更することができる。
【００１７】
次に、本実施形態の作用について説明する。
図５に示すように、洗浄具１をビン２０の口２１より内部に挿入する。同時にビン２０内部に洗浄液３０を入れる。この洗浄液３０は洗浄機能を有する薬液を含んでも良いが、水だけでも良い。
その後、口２１を塞いでビン２０を振ると、内部で洗浄液３０が揺れ動き、このため洗浄具１は洗浄液３０と共に矢印Ａのようにビン２０内部で上下往復運動あるいは回転運動をする。
【００１８】
これによって洗浄具１の個々の洗浄体１０，１０・・がビン２０の内部表面に強く当たり擦りながら洗浄していく。洗浄体１０は上記のように端面が略ジグザグ状であり、その形状は厚味のある円板状となっているため、ビン２０表面に接触する面積が大きくなると同時に、その略ジグザグ状の端面がブラシと同様な効果を有するため、ビン２０表面の汚れを落とす効果が大きいのである。
さらには、洗浄体１０は、上記のような形状のため洗浄液３０も多く含むことができるのである。また個々の洗浄体１０は連結糸１２で連結されているため、１個の大きな洗浄具１として有機的な動きをするため洗浄効果が大きくなる。
【００１９】
洗浄が終わり洗浄具１を取り出すときは、図６に示すようにビン２０の口２１から１個の洗浄体１０を出し、それを掴んで引っ張ることによって連結糸１２で繋がったすべての洗浄体１０，１０・・が容易に取り出せる。
【００２０】
このように本実施形態の洗浄具１は、洗浄するビン２０の形状に合わせて洗浄体１０の個数や大きさを変更することができる。例えばビン２０が大型であれば、たくさんの洗浄具１０を連結して使用することができ、あたかも大型の洗浄具をビンの内部に挿入して洗浄するのと同様の効果を生じる。通常は洗浄体１０の個数が多い方が洗浄効果が大きいのである。また、洗浄体１０が洗浄布によって構成されているため、ガラスあるいはプラスチックのビンの表面を傷つけることもない。
さらには、洗浄具１は、ビン２０の内部だけでなく外側も洗うことができる。この場合、複数の洗浄体１０が連結糸１２連結されて一体化しているから、１個の洗浄具として手で掴んで洗いやすいのである。
【００２１】
また、非常に小さいビンの場合は、上記洗浄体１０を１個使用することで洗浄効果を発揮できる。
【００２２】
図７に本考案の第２実施形態の洗浄体の概略斜視図を示す。
この洗浄体３５は、上記洗浄体１０の中央付近を糸１１で縛り付ける際に、上下方向にも強く締め付けることにより、図７に示すように、中央部付近が糸１１で絞られて細くなり、両端は扇形状に開きその周縁部は上下方向に広がり、球状に近い形状を呈するのである。
【００２３】
この洗浄体３５も、図８に示すように洗浄体３５を４個、連結糸１２で連結して洗浄具２を構成するのである。この洗浄具２の作用効果も前記第１実施形態と同様であるが、さらに各々の洗浄体３５の両端が扇形状に開いた球状に近い形状であるため、表面積が大きくなりより洗浄効果を奏するのである。
【００２４】
図９に本考案の第３実施形態の洗浄体の概略斜視図を示す。
この洗浄体３６は、材質を厚さ３〜８ｍｍ程度、幅２〜３ｃｍ程度のスポンジで作成したものである。上記洗浄体１０と同様にジグザグに折り畳んで、その中央部付近を糸で縛り付ける。この際に、強く締め付けることにより図示のように中央部付近が絞られて細くなり、両端は扇形状に開きその周縁部は上下方向に広がり、直径約２ｃｍ程度の球状を呈するのである。
【００２５】
この洗浄体３６も、図１０に示すように洗浄体３６を４個、連結糸１２で連結して洗浄具を構成するのである。この洗浄具の作用効果も前記第１実施形態と同様であるが、さらに各々の洗浄体３６が略球状であるため、表面積が大きくなりより洗浄効果を奏するのである。
このように、材質を布よりも厚味を有するスポンジ等とした場合には、洗浄体は略球状となる。この材質としては、塩化ビニリデン、ポリエステル、ナイロン等の不織布やポリウレタンフォーム等である。
【００２６】
図１１に本考案の第４実施形態の洗浄具の概略斜視図を示す。
この洗浄具４は４個の洗浄体４０を連結糸１２で連結したものである。洗浄体４０は直方体状のスポンジによって構成してあるが、スポンジ表面を硬質な材質としたほうが洗浄効果が大きくなる。
この洗浄体４０の形状は、球状、楕円状等、任意に選択でき、大きさも容器の大きさや形状等に合わせて任意に選択できる。
材質も、スポンジの他にウレタンフォームなどの合成樹脂製の材質、タオル等の天然繊維製、化学繊維製あるいは合成樹脂製の布等、あらゆる洗浄機能を有する材質を使用できるが、ビンと擦れる時に摩擦の大きい材質の方が洗浄効果が高い。また、アクリルの布を用いた場合には、洗剤を必要としない。
なお、図示はしないが、公知のビニール製のブラシの洗浄具を小さな球状に束ねて、洗浄体として使用することもできるのである。
この洗浄具４の作用、効果も上記第１実施形態と同様である。
また、上記第１実施形態ないし第４実施形態に記載のいずれかの洗浄体１０、３５、３６、４０を一部に含み連結体で連結してなる洗浄具を構成してもよい。この洗浄具の作用効果も上記各実施形態と同様である。
【図面の簡単な説明】
【００２７】
【図１】第１実施形態の洗浄体の展開図
【図２】第１実施形態の洗浄体の概略斜視図
【図３】第１実施形態の洗浄体の概略端面拡大図
【図４】第１実施形態の洗浄具の概略斜視図
【図５】第１実施形態の洗浄具の使用状態示す説明図
【図６】第１実施形態の洗浄具の使用状態示す説明図
【図７】第２実施形態の洗浄体の概略斜視図
【図８】第２実施形態の洗浄具の概略斜視図
【図９】第３実施形態の洗浄体の概略斜視図
【図１０】第３実施形態の洗浄具の概略斜視図
【図１１】第４実施形態の洗浄具の概略斜視図
【符号の説明】
【００２８】
１  洗浄具
２  洗浄具
３  洗浄具
４  洗浄具
１０  洗浄体
１１  糸
１２  連結糸
２０  ビン
２１  口
３０  洗浄液
３５  洗浄体
３６  洗浄体
４０  洗浄体
【図１】
0003118064.tif 000003
【図２】
0003118064.tif 000004
【図３】
0003118064.tif 000005
【図４】
0003118064.tif 000006
【図５】
0003118064.tif 000007
【図６】
0003118064.tif 000008
【図７】
0003118064.tif 000009
【図８】
0003118064.tif 000010
【図９】
0003118064.tif 000011
【図１０】
0003118064.tif 000012
【図１１】
0003118064.tif 000013